(57)【要約】      （修正有）【課題】展開基材を筐体内の所定位置で確実に押えることのできる液体試料用検査容器を提供する。【解決手段】展開基材２を収容する筐体３が、一対の分割筐体４、５と、一対の分割筐体のうちの一方に設けられた複数のピン６と、他方に設けられた複数の孔部７とを備え、複数のピンおよび孔部どうしを厚み方向で嵌合させることで、分割筐体が組付けられ、筺体は展開基材を筐体内で押える押え部をさらに備え、ピンは、胴部と、胴部に比べて大径の頭部と、胴部および頭部を連続するピン側肩部とを備え、孔部は、入口部と、入口部に比べて大径の奥部と、入口部および奥部を連続する孔側肩部とを備え、ピンの頭部を、孔部の入口部から挿し込むように奥部に嵌合して分割筐体どうしを組付けた状態において、ピン側肩部および孔側肩部が少なくとも厚み方向で係合する。【選択図】図１
0003212222.tif 000002
【実用新案登録請求の範囲】
【請求項１】
展開基材を収容する筐体を備え、筐体は、一対の分割筐体と、一対の分割筐体のうちの一方に設けられた複数のピンと、一対の分割筐体のうちの他方に設けられた複数の孔部とを備えて、複数のピンおよび孔部どうしを厚み方向で嵌合させることで、分割筐体どうしが組付けられるものであり、
筺体は展開基材を筐体内で押える押え部をさらに備え、
ピンは、胴部と、胴部に比べて大径に形成された頭部と、胴部および頭部を連続するピン側肩部とを備え、
孔部は、入口部と、入口部に比べて大径に形成された奥部と、入口部および奥部を連続する孔側肩部とを備え、
ピンの頭部を、孔部の入口部から挿し込むように奥部に嵌合して分割筐体どうしを組付けた状態において、ピン側肩部および孔側肩部が厚み方向で係合するよう構成されたことを特徴とする液体試料検査具用容器。
【請求項２】
各分割筐体は板状に形成され、何れか一方の分割筐体の縁部に他方の分割筐体の縁部に厚み方向で当接可能な規制片が形成され、
ピンの頭部を孔部の奥部に嵌合して分割筐体どうしを組付けた状態において、ピン側肩部および孔側肩部が厚み方向で係合されるとともに、規制片が他方の分割筐体の縁部に当接され、しかも押え部が展開部材を厚み方向で押えるよう構成された請求項１記載の液体試料検査具用容器。
【請求項３】
ピンの頭部の径は、孔部の奥部の径と同等かもしくは大きく設定された請求項１または請求項２の何れかに記載の液体試料検査具用容器。
【請求項４】
孔側肩部は孔部の入口部側ほど小径に形成され、ピン側肩部は頭部側ほど大径に形成されており、ピン側肩部の最大径が孔側肩部の最小径よりも大きく設定された請求項１ないし請求項３の何れか１項に記載の液体試料検査具用容器。
【請求項５】
一方の分割筺体からピンの先端部までの高さは、他方の分割筺体に形成された孔部の深さに比べて小さく設定されている請求項１ないし請求項４の何れか１項に記載の液体試料検査具用容器。
【請求項６】
ピンは一方の分割筺体の短手方向の両側に、長手方向に離間して複数設けられ、孔部は他方の分割筺体の短手方向の両側に、長手方向に離間して複数設けられ、
他方の分割筺体の短手方向の一方側における孔部の長手方向での配置位置が、一方の分割筺体の短手方向の一方側におけるピンの長手方向での配置位置に一致し、
他方の分割筺体の短手方向の他方側における複数の孔部のうちに、一方の分割筺体の短手方向の一方側におけるピンの長手方向での配置位置に対して位置ずれした孔部を備えている請求項１ないし請求項５の何れか１項に記載の液体試料検査具用容器。
【考案の詳細な説明】
【技術分野】
【０００１】
本考案は、免疫クロマトグラフ法を用いた液体試料検査具に用いられる検査具用容器に関する。
【背景技術】
【０００２】
従来から、インフルエンザ検査具や妊娠検査具等の検査具として免疫クロマトグラフ法を用いた液体試料検査具用容器が一般に知られている。（例えば、特許文献１参照）。特許文献１の検査具用容器は、展開基材を収容する筐体を備えている。筐体は、下部筐体と上部筐体とを厚み方向で組付けることで構成される。下部筐体と上部筐体とは、厚み方向で嵌合し合う柱状のピンおよび孔部を嵌合させることで組付けられる。展開基材は展開液である液体試料が展開されるものであり、展開基材上に滴下された液体試料を確実に浸透させながら展開（浸透、流動）させることが正確かつ速やかな検査結果を得るために重要となる。そのため、展開基材は筐体内の所定位置で確実に保持されていることが必要である。このため筺体は、展開基材を筐体内で押える押え部を備えている。
【先行技術文献】
【特許文献】
【０００３】
【特許文献１】特開２０１０−１１７２１３号公報
【考案の概要】
【考案が解決しようとする課題】
【０００４】
特許文献１の検査具用容器において、ピンおよび孔部を厚み方向で嵌合させることで筐体が組付けられても、ピンの形状は単なる柱状であり、孔部の形状もピンに対応しているのみであるから、筐体に外力が働くとピンと孔部との嵌合は緩み易い。ピンと孔部との嵌合が緩むと、押え部で展開基材を確実に押えることができない。そうなると、展開基材上での展開液の展開不良が発生し、正確な検査ができない恐れがある。
【０００５】
そこで本考案は、展開基材を筐体内の所定位置で確実に押えることのできる液体試料検査具用容器の提供を目的とする。
【課題を解決するための手段】
【０００６】
本考案の液体試料検査具用容器は、展開基材を収容する筐体を備え、筐体は、一対の分割筐体と、一対の分割筐体のうちの一方に設けられた複数のピンと、一対の分割筐体のうちの他方に設けられた複数の孔部とを備えて、複数のピンおよび孔部どうしを厚み方向で嵌合させることで、分割筐体どうしが組付けられるものであり、筺体は展開基材を筐体内で押える押え部をさらに備え、ピンは、胴部と、胴部に比べて大径に形成された頭部と、胴部および頭部を連続するピン側肩部とを備え、孔部は、入口部と、入口部に比べて大径に形成された奥部と、入口部および奥部を連続する孔側肩部とを備え、ピンの頭部を、孔部の入口部から挿し込むように奥部に嵌合して分割筐体どうしを組付けた状態において、ピン側肩部および孔側肩部が厚み方向で係合するよう構成されたことを特徴としている。
【０００７】
上記構成のように、ピンの頭部を孔部の入口部から挿し込むように奥部に嵌合して分割筐体どうしを組付けた状態において、ピン側肩部および孔側肩部が厚み方向で係合すれば、分割筐体どうしの組付けが緩まず、押え部によって展開基材を確実に押えられる。
【０００８】
本考案の液体試料検査具用容器では、各分割筐体は板状に形成され、何れか一方の分割筐体の縁部に他方の分割筐体の縁部に厚み方向で当接可能な規制片が形成され、ピンの頭部を孔部の奥部に嵌合して分割筐体どうしを組付けた状態において、ピン側肩部および孔側肩部が厚み方向で係合されるとともに、規制片が他方の分割筐体の縁部に当接され、しかも押え部が展開部材を厚み方向で押えるよう構成された構成を採用できる。
【０００９】
上記構成によれば、押え部が展開部材を厚み方向で押えた状態で、分割筐体どうしの組付けが緩まず、しかも規制片が他方の分割筐体の縁部に当接する以上には分割筐体どうしは接近しないから、分割筐体どうしは厚み方向にがたつかない。
【００１０】
本考案の液体試料検査具用容器では、ピンの頭部の径は、孔部の奥部の径と同等かもしくは大きく設定された構成を採用できる。
【００１１】
この構成によれば、ピンの頭部と孔部の奥部との当接により分割筐体どうしの厚み方向に直交する方向での位置ずれが抑制される。
【００１２】
本考案の液体試料検査具用容器では、孔側肩部は孔部の入口部側ほど小径に形成され、ピン側肩部は頭部側ほど大径に形成されており、ピン側肩部の最大径が孔側肩部の最小径よりも大きく設定された構成を採用できる。
【００１３】
本考案の液体試料検査具用容器では、一方の分割筺体からピンの先端部までの高さは、他方の分割筺体に形成された孔部の深さに比べて小さく設定された構成を採用できる。
【００１４】
本考案の液体試料検査具用容器では、ピンは一方の分割筺体の短手方向の両側に、長手方向に離間して複数設けられ、孔部は他方の分割筺体の短手方向の両側に、長手方向に離間して複数設けられ、他方の分割筺体の短手方向の一方側における孔部の長手方向での配置位置が、一方の分割筺体の短手方向の一方側におけるピンの長手方向での配置位置に一致し、他方の分割筺体の短手方向の他方側における複数の孔部のうちに、一方の分割筺体の短手方向の一方側におけるピンの長手方向での配置位置に対して位置ずれした孔部を備えた構成を採用できる。
【考案の効果】
【００１５】
本考案によれば、ピンの頭部を孔部の奥部に嵌合して一対の分割筐体どうしを組付けた状態において、ピンのピン側肩部および孔部の孔側肩部が厚み方向で係合するので、分割筐体どうしの組付けが緩まず、展開基材を筐体内の所定位置で確実に押えることができ、その結果として展開基材上に滴下された液体試料を確実に浸透させながら展開させ、正確かつ速やかな検査結果を得ることができる。
【図面の簡単な説明】
【００１６】
【図１】本考案の液体試料検査具用容器において展開基材を収容した状態の縦断面図である。
【図２】同下部筐体の単体平面図である。
【図３】同ピンと孔部との嵌合状態を表した一部破断図である。
【図４】同ボス部の拡大断面図である。
【図５】同下部筐体の裏面側からの斜視図である。
【図６】同上部筐体の単体底面図である。
【図７】同ピンの拡大図である。
【図８】同筐体の平面図である。
【図９】同下部筐体と上部筐体とを組付けた状態の斜視図である。
【考案を実施するための形態】
【００１７】
以下、本考案に係る液体試料検査具用容器を、図面を参照しつつ説明する。図１に示すように、液体試料検査具用容器１は、インフルエンザウイルスの感染の有無等を検査する展開基材（テストストリップとも称される）２を装着するためのものである。図２に示すように、展開基材２は、細長矩形のシート状に形成されている。展開基材２は、短冊状に形成されたベースカード上にその一端側（後述する試料滴下部５２側）から順にサンプルパッド２０、メンブレン２２および吸収パッド２３を備えている。メンブレン２２の端部分に、コンジュゲートパッド２１を挟み込んだ状態でサンプルパッド２０の端部分が積層された構成となっている。
【００１８】
展開基材２において、試料滴下部５２からサンプルパッド２０上に液体試料を滴下すると、この試料がコンジュゲートパッド２１に浸透して当該パッド２１に担持された特異抗体（金コロイド、カラーラテックス等の物質で標識した抗体；着色標識）と反応しながらメンブレン２２に浸透し、液体試料に被測定物である抗原が存在していると、この抗原とメンブレン２２に固定された抗体とが抗原抗体反応を起こし、メンブレン２２上に着色標識がシグナルとして現れ、この着色標識を後述する検出穴５７から視認することにより、検査結果を確認できる。
【００１９】
液体試料検査具用容器１は、展開基材２を収容する筐体３を備えている。筐体３は一対の分割筐体を備えている。筐体３の全体は、合成樹脂により形成されている。以下、一対の分割筐体を、下部筐体４、上部筐体５と称する。下部筐体４は、展開基材２を載置するためのものである。上部筐体５は、下部筐体４に対する蓋体とされる。下部筐体４および上部筐体５ともに、展開基材２の長手方向Ｌと同一の方向を長手方向Ｌとする矩形板状に形成されている。短手方向Ｂは長手方向Ｌを含む仮想平面内で長手方向Ｌと直交する方向である。厚み方向ｔは、長手方向Ｌおよび短手方向Ｂを含む仮想平面に対して直交する方向である。なお、長手方向一方側から長手方向他方側へ向かう方向、すなわち試料添加用部材２０から吸収部材２３へ向かう方向が試料展開方向である。
【００２０】
下部筐体４は、平面視して矩形の底壁４０と、底壁４０の周囲端から中心側に位置ずれした位置で、底壁４０の四辺から一体的に立設された下部立設壁４１を備える。この下部立設壁４１は、後述する規制片に相当し、下部立設壁４１の上端面４１ａは平坦に形成されている。上部筐体５は平面視して矩形に形成された天壁５０と、天壁５０の周囲端（縁部）にあって天壁５０の四辺から一体的に垂下するよう立設された上部立設壁５１を備える。下部筐体４および上部筐体５を組付けた状態において、下部立設壁４１は上部立設壁５１の内側にあって、長手方向Ｌおよび短手方向Ｂで対向する。
【００２１】
本考案に係る液体試料検査具用容器１では、上部筐体５と下部筐体４とが、ピン６と孔部７との嵌合により組付けられることで、下部筐体４および上部筐体５が組付けられて筐体３とされる。本実施形態では、孔部７は下部筐体４側に配置され、ピン６は上部筐体５側に配置されている。
【００２２】
図２に示すように、孔部７は下部筐体４の、底壁４０に立設されたボス部７Ａの中心に形成されている。本実施形態では、ボス部７Ａは底壁４０の八箇所に形成されている。具体的には、ボス部７Ａは、短手方向一方側の下部立設壁４１に長手方向Ｌに間隔を置いて四箇所に配置され、短手方向他方側の下部立設壁４１に長手方向Ｌに間隔を置いて四箇所に配置されている。
【００２３】
ボス部７Ａのうち、一組は短手方向Ｂに沿うよう対向して配置されている。ボス部７Ａのうち、他の三組は長手方向Ｌに位置ずれして対向配置されている。図３および図４に示すように、孔部７は案内凹部７０と孔７１とを備えている。案内凹部７０は下方側（底壁４０側）へ向けて下傾斜する角錐面により形成されている。案内凹部７０の下側に孔７１が連続して形成されている。孔７１は入口部７２と、入口部７２に比べて大径に形成された奥部７３と、入口部７２および奥部７３を連続する孔側肩部７４と、底面７５とを備えている。孔７１は略角柱状の空間に形成されており、入口部７２、奥部７３、および底面７５は平面視して略正方形に形成されている。孔側肩部７４は略角錐状に形成されている。以下、略角柱状の空間である孔７１について径と称する場合には、対角線の長さではなく、四角形の一辺に相当する長さを意味する。
【００２４】
下部筐体４の底壁４０の上面には、展開基材２を載置するための載置部が突出するよう形成されている。載置部は、長手方向一方側寄りに配置された第一載置部８、長手方向途中部分に配置された第二載置部９、および長手方向他方側に配置された第三載置部１０を備える。第一載置部８の上面は円形（あるいは長円形）の平坦面に形成され、この平坦面は展開基材２の長手方向一方側部分（サンプルパッド２０）を載置する載置面８０とされている。第二載置部９、および第三載置部１０はそれぞれ短手方向Ｂに離間した複数の凸条により構成されている。第二載置部９は、展開基材２の長手方向途中部分（コンジュゲートパッド２１、メンブレン２２）を載置する部分である。第三載置部１０は、展開基材２の長手方向他方側部分（吸収パッド２３）を載置する部分である。
【００２５】
底壁４０の上面を基準として、第二載置部９、および第三載置部１０の上端までの高さは等しく設定されている。第二載置部９は、第三載置部１０の長手方向長さに比べて長く形成されている。底壁４０の上面を基準として、第一載置部８の載置面８０までの高さは、第二載置部９、および第三載置部１０の上端までの高さに比べてわずかに高く設定されている。
【００２６】
下部筐体４の底壁４０には、展開基材２を収容する領域を特定させるための位置決め部材が突出するように形成されている。位置決め部材は、展開基材２を収容する領域を長手方向Ｌで特定させるための長手方向位置決め部材１１，１２と、展開基材２を収容する領域を短手方向Ｂで特定させるための短手方向位置決め部材１３，１４を備える。長手方向位置決め部材１１，１２は、長手方向Ｌで対向するよう一対で立設されている。長手方向位置決め部材１１，１２は短手方向Ｂに沿う壁状に形成されている。長手方向位置決め部材１１，１２のうちの一方の長手方向位置決め部材１１は、第一載置部８に対して長手方向一方側寄りに配置されている。他方の長手方向位置決め部材１２は、第三載置部１０に対して長手方向他方側寄りに配置されている。底壁４０の上面を基準とした長手方向位置決め部材１１，１２の上端までの高さは、第一載置部８の載置面８０の高さに比べて高く設定されている。
【００２７】
短手方向位置決め部材１３，１４は、短手方向Ｂで対向するよう対で立設されている。この短手方向位置決め部材１３，１４は、長手方向Ｌに離間して二組設けられている。短手方向位置決め部材１３，１４は長手方向Ｌに沿う壁状に形成されている。長手方向一方側の短手方向位置決め部材１３は、第一載置部８と第二載置部９との間に配置されている。長手方向他方側の短手方向位置決め部材１４は、第二載置部９と第三載置部１０との間に配置されている。底壁４０の上面を基準とした短手方向位置決め部材１３，１４の上端までの高さは、長手方向位置決め部材１１，１２と同一に設定されている。
【００２８】
図５に示すように、底壁４０の裏面には長手方向Ｌに沿う二条の裏面リブ４０ａ，４０ｂが形成されている。この裏面リブ４０ａ，４０ｂのうちの一方は、長手方向途中で短手方向Ｂに沿うよう折曲されている。
【００２９】
図６に示すように、上部筐体５における上部立設壁５１の内側で、天壁５０の下面に、孔７１に嵌合する前記ピン６が突出するよう一体的に形成されている。ピン６は孔７１に対応する位置に配置されている。図３および図７に示すように、各ピン６は、胴部６０と、胴部６０に比べて大径に形成された頭部６１と、胴部６０および頭部６１を連続するピン側肩部６２と、頭部からさらに延長されて、頭部６１に比べて小径の先端部６３とを備えている。また、ピン６は、天壁５０の下面に一体的に形成された傾斜した補強リブ６４により補強されている。なお、補強リブ６４は、高さ寸法および離間寸法が孔部７の案内凹部７０に入りこむよう設定されている。ピン側肩部６２は略円錐面状に形成されている。
【００３０】
ピン６の頭部６１の径（最大径）は、孔部７の奥部７３の径と同等かもしくは大きく設定されている。ピン６の先端部６３の径、およびピン６の頭部６１の径は、案内凹部７０の最大径よりも小さく、最小径よりも大きく設定されている。ピン６の先端部６３の径、およびピン６の頭部６１の径は、入口部７２の径より大きく設定されている。
【００３１】
ピン６における、上部筐体５の天壁５０の下面からの最大高さＭＨ、すなわち、天壁５０の下面から先端部６３の端までの高さは、孔部７の最大深さＭＤ、すなわち、ボス部７Ａの上端から孔７１の底面７５までの深さに比べて小さく設定されている。換言すれば、補強リブ６４を含めてピン６が孔部７に嵌合した際に、ピン６の先端部６３の端と、孔７１の底面７５との間に隙間δを生じさせる寸法関係が設定されている。
【００３２】
図８に示すように、上部筐体５の上面の、展開基材２のサンプルパッド２０に対応する領域に、液体試料を滴下するための試料滴下部５２が形成されている。試料滴下部５２には楕円形の滴下穴５３が形成され、滴下穴５３の外周領域は、滴下穴５３へ向かって傾斜する滴下傾斜面５４とされている。図１に示すように、上部筐体５の下面において、滴下傾斜面５４に対応する領域は、滴下傾斜面５４に倣うよう下傾斜しており、その下端部は平坦面とされている。この平坦面は、サンプルパッド２０を押圧するサンプルパッド用押圧面５５である。
【００３３】
上部筐体５の上面の、展開基材２のメンブレン２２に対応する領域に、検出部５６が形成されている。検出部５６には矩形の検出穴５７が形成され、検出穴５７の外周領域は、検出穴５７へ向かって傾斜する検出傾斜面５８とされている。上部筐体５の下面において、検出傾斜面５８に対応する領域は、検出傾斜面５８に倣うよう下傾斜しており、その下端部は平坦面とされている。この平坦面は、メンブレン２２を押圧するメンブレン用押圧面５９である。
【００３４】
上部筐体５の下面において、メンブレン用押圧面５９の長手方向一方側寄りに、展開基材２のコンジュゲートパッド２１を押圧するための押圧壁１５が突出するよう形成されている。押圧壁１５は短手方向Ｂに長い壁であり、その下面は平坦面であって、この平坦面は、コンジュゲートパッド２１を押圧するコンジュゲートパッド用押圧面１５０である。なお、上部筐体５の上面には、試料滴下数指示表示部、感染有無の結果表示部、患者認識表示部（符合省略）が、成型時に刻設等により一体的に形成されている。
【００３５】
図９に示すように、本実施形態における筐体３は、上記構成の上部筐体５および下部筐体４を組付けることで構成される。具体的に、まず組付け作業において、例えば作業者が展開基材２を下部筐体４に載置する。このとき作業者は、展開基材２を長手方向位置決め部材１１，１２および短手方向位置決め部材１３，１４の間に挿入されるよう載置する。換言すれば、展開基材２を載置するには、長手方向位置決め部材１１，１２および短手方向位置決め部材１３，１４を目印として、展開基材２を載置することができる。
【００３６】
展開基材２を下部筐体４に設置し終えたら、下部筐体４の上側を上部筐体５で覆うようにして、下部筐体４と上部筐体５とを組付ける。なお、このとき作業者は、各ピン６と各孔部７とを嵌合させるようにするのであるが、ボス部７Ａのうち、一組は短手方向Ｂに沿うよう対向して配置されているものの、ボス部７Ａのうち、他の三組は長手方向Ｌに位置ずれして対向配置されている。ボス部７Ａを位置ずれすることなく対向配置される場合には、作業者が下部筐体４の長手方向Ｌと上部筐体５の長手方向Ｌを誤ったとしても、各ピン６と各孔部７とは嵌合可能なため、下部筐体４に対して上部筐体５を誤った方向に組み付ける恐れがあるが、本実施形態では、作業者が下部筐体４の長手方向Ｌと上部筐体５の長手方向Ｌを誤ったとしても、各ピン６と各孔部７とは位置ずれして嵌合できないため、長手方向Ｌと上部筐体５の長手方向Ｌを誤った状態で組み付けることがなく、適正な液体試料検査具を製造することができる。
【００３７】
ピン６の頭部６１の径は、孔部７の奥部７３の径と同等かもしくは大きく設定されているが、ピン６の先端部６３の径、およびピン６の頭部６１の径は入口部７２の径より大きく設定されていることから、下部筐体４と上部筐体５とを組付ける際には、作業者が下部筐体４と上部筐体５を、手指で挟んで厚み方向ｔに押圧するよう力を働かせ、ピン６の先端部６３から頭部６１を入口部７２に対して無理嵌めする必要がある。このようにすることで、ピン６の頭部６１が、孔部７の入口部７２から挿し込まれるようにして奥部７３に嵌合され、ピン側肩部６２および孔側肩部７４が厚み方向ｔで実質的に係合し、下部筐体４と上部筐体５とが組付けられる。
【００３８】
ピン６の先端部６３の径は案内凹部７０の最大径よりも小さいから、ピン６の先端部６３は孔部７の入口部７２に向けて案内され易い。そして、ピン６の頭部６１が孔部７の奥部７３に嵌合された際には、ピン側肩部６２および孔側肩部７４が係止されたクリック感が発生するため、作業者は、ピン６の頭部６１と孔部７の奥部７３とが嵌合されたことを知覚することができ、あるいは、合成樹脂どうしが嵌合しあう音を発生させるよう形成することで、作業者に、ピン６の頭部６１と孔部７の奥部７３とが嵌合されたことを知覚させることができるため、組立作業性を向上することができる。
【００３９】
この液体試料検査具用容器１では、ピン側肩部６２および孔側肩部７４が係合した状態において、下部立設壁４１が規制片の機能を発揮してその上端面４１ａが、上部立設壁５１の下端面と下部筐体４の上面との間に隙間δ１（図１参照）を生じさせた状態となるよう上部筐体５の天壁５０の下面に当接し、且つピン側肩部６２および孔側肩部７４が厚み方向ｔで係合した状態を保持できるよう、寸法関係が設定されている。また、滴下傾斜面５４の下端部の平坦面であるサンプルパッド用押圧面５５によりサンプルパッド２０が押圧されて圧縮され、検出傾斜面５８の下端部の平坦面であるメンブレン用押圧面５９によりメンブレン２２が押圧されて圧縮され、押圧壁１５の下面の平坦面であるコンジュゲートパッド用押圧面１５０によりコンジュゲートパッド２１が押圧されて圧縮されるが、これらは展開基材２上に滴下された液体試料を確実に浸透させながら展開させるための適切な寸法関係に設定されている。
【００４０】
なお、サンプルパッド用押圧面５５によりサンプルパッド２０が圧縮されすぎると試料が流れにくく、サンプルパッド用押圧面５５とサンプルパッド２０とに隙間があきすぎると液体試料がサンプルパッド２０から横漏れする。コンジュゲートパッド用押圧面１５０では、展開基材２のメンブレン２２とコンゲージュドパッド２１の浮きを押えるようにしている。メンブレン用押圧面５９では、液体試料の流れが悪くならないように、展開基材２のメンブレン２２と吸収パッド２３が浮かないようにしている。
【００４１】
ピン６の頭部６１が孔部７の奥部７３に嵌合され、ピン側肩部６２および孔側肩部７４が厚み方向ｔで係合することにより、下部筐体４に対して上部筐体５が緩まない。このため、展開基材２を筐体３内の所定位置で確実に押えることができ、展開基材２上に滴下された液体試料を確実に浸透させながら展開させ、正確かつ速やかな検査結果を得ることができる。しかも、載置面８０に載置されたサンプルパッド２０が押え部であるサンプルパッド用押圧面５５により押圧され、第二載置部９に載置されたコンゲージュドパッド２１２１が押え部であるコンジュゲートパッド用押圧面１５０により押圧され、第二載置部９に載置されたメンブレン２２が押え部であるメンブレン用押圧面５９により押圧される。これにより、展開基材２は長手方向Ｌにおいて正確な位置を保持されるから、より正確かつ速やかな検査結果を得ることができる。
【００４２】
ピン側肩部６２は略円錐面状に形成され、孔側肩部７４は略角錐面状に形成されている。このため、ピン側肩部６２および孔側肩部７４の係合は、厚み方向ｔのみに限らず、長手方向Ｌおよび短手方向Ｂでも係合している。したがって、下部筐体４と上部筐体５とは長手方向Ｌおよび短手方向Ｂでも位置ずれしない。
【００４３】
本考案に係る液体試料検査具用容器は、上記実施形態に限定されるものではなく、本考案の要旨を逸脱しない範囲で種々の変更が可能である。例えば、上記実施形態では、ピン６を上部筐体５側に配置し、ボス部７Ａを下部筐体４側に配置した。しかしながら、ピン６を下部筐体４側に配置し、ボス部７Ａを上部筐体５側に配置してもよい。
【００４４】
上記実施形態における一対の分割筐体は、上部筐体と下部筐体とが別々に形成された分離型であるが、上部筐体と下部筐体とが折り曲げヒンジ等の連結部によって結合する一体型に構成することもできる。
【００４５】
上記実施形態では、ピン６と孔７は各々八個所に設置されているが、少なくとも、一方の分割筐体の長手方向一方側端部と長手方向他方側端部に各々一個所（計二箇所）に孔が設置されると共に、他方の分割筐体において前記孔に対応する位置に各々ピンを設置されていれば良く、この場合、一方の孔が一方の分割筐体の短手方向一方側端部に設置されると共に、他方の孔が一方の分割筐体の短手方向他方側端部に設置されると共に、他方の分割筐体において前記孔に対応する位置に各々ピンを設置されているのが好ましい。
【００４６】
また、少なくとも、一方の分割筐体の長手方向一方側端部と長手方向他方側端部に各々二個所（計四箇所）に孔が設置され、他方の分割筐体において前記孔に対応する位置に各々ピンを設置されているのが好ましく、この場合、一方の分割筐体の四隅部に各々一箇所（計四箇所）の孔が設置され、他方の分割筐体において前記孔に対応する位置に各々ピンを設置されているのがより好ましい。
【００４７】
上記実施形態では、ピン側肩部６２は略円錐面状に形成し、孔側肩部７４は略角錐面状に形成した。しかしながら、ピン側肩部６２を頭部６１に対して急縮させて環状平面に形成し、孔側肩部７４を入口部７２に対して急縮させて環状平面に形成して、両肩部が厚み方向ｔで、平面的に係合するよう構成することもできる。
【００４８】
上記実施形態では、ピン６を略円柱状に形成し、胴部６０、頭部６１等を平面視で円形に形成する一方、入口部７２、奥部７３、および底面７５を平面視して四角形に形成し、孔７１を四角柱状空間に形成した場合を示した。しかしながら、ピンの頭部を孔部の入口部から挿し込むように奥部に嵌合して分割筐体どうしを組付けた状態において、ピンおよび孔が厚み方向で係合する構成であれば良く、例えば、ピンを四角柱状としたり、或いは孔７１を円柱状空間に形成したりすることもできる。
【００４９】
また、筐体３は細長の矩形状に形成したが、長楕円状に形成することもでき、さらに本液体試料検査具用容器１による検査対象は、インフルエンザウイルスの感染の有無に限定されず、他に妊娠検査用等の容器として用いることもできる。
【符号の説明】
【００５０】
１…液体試料検査具用容器、２…展開基材、３…筐体、４…下部筐体、５…上部筐体、６…ピン、７…孔部、７Ａ…ボス部、１５…押圧壁、４０…底壁、４１…下部立設壁、４１ａ…上端面、５０…天壁、５１…上部立設壁、５２…試料滴下部、５５…サンプルパッド用押圧面、５６…検出部、５９…メンブレン用押圧面、６０…胴部、６１…頭部、６２…ピン側肩部、６３…先端部、７０…案内凹部、７１…孔、７２…入口部、７３…奥部、７４…孔側肩部、７５…底面、１５０…コンジュゲートパッド用押圧面、Ｂ…短手方向、Ｌ…長手方向、ｔ…方向、δ１…隙間
【図１】
0003212222.tif 000003
【図２】
0003212222.tif 000004
【図３】
0003212222.tif 000005
【図４】
0003212222.tif 000006
【図５】
0003212222.tif 000007
【図６】
0003212222.tif 000008
【図７】
0003212222.tif 000009
【図８】
0003212222.tif 000010
【図９】
0003212222.tif 000011